(57)【特許請求の範囲】
【請求項１】
画像読取デバイス、画像印刷デバイス、及び画像通信デバイスのうちの少なくとも画像印刷デバイスを含み、所定の機能を実行する機能デバイス、並びに前記機能デバイスの動作及び停止を制御するコントローラを備える画像処理装置に用いられる電源装置であって、
前記機能デバイスに供給する所定電圧の電力を生成する電源電圧生成部と、
前記電源電圧生成部から前記機能デバイスへの電源供給系統に設けられ、かつ、前記画像処理装置が複数の機能デバイスを備え、前記電源電圧生成部から複数の機能デバイスへ電力が供給される場合、機能デバイス毎の電源供給系統の各々に設けられ、当該機能デバイスへの電力供給を遮断する負荷遮断回路部と、
前記電源電圧生成部に設けられ、当該電源電圧生成部自体からの電力出力を停止させる電力出力停止回路部と、
前記機能デバイスへの電力供給を停止する機能デバイスの節電モードにおいて、前記コントローラから入力される選択信号が、前記電源電圧生成部から電力供給される前記機能デバイスが１つであることを示している場合に、前記電力出力停止回路部を選択し、前記電源電圧生成部から電力供給される前記機能デバイスが複数であることを示している場合に、前記負荷遮断回路部を選択する選択手段と、
を有する電源装置。
【請求項２】
前記コントローラが前記機能デバイスを前記節電モードに移行させる際、該コントローラが前記機能デバイスへの電力供給の遮断を指示する電源遮断指示信号を出力し、該電源遮断指示信号が前記選択手段により選択された前記負荷遮断回路部又は前記電力出力停止回路部に入力される請求項１記載の電源装置。
【請求項３】
前記請求項１又は請求項２記載の電源装置と、
前記コントローラと、
を有し、前記電源供給系統を介して前記電源電圧生成部から電力供給を受け、前記コントローラにより動作及び停止が制御される前記機能デバイスとして、前記画像読取デバイス、前記画像印刷デバイス、及び前記画像通信デバイスのうちの少なくとも前記画像印刷デバイスを含む画像処理装置。
【請求項４】
画像読取デバイス、画像印刷デバイス、及び画像通信デバイスのうちの少なくとも画像印刷デバイスを含み、所定の機能を実行する機能デバイスを備える画像処理装置に用いられる電源制御装置であって、
前記機能デバイスに供給する所定電圧の電力を生成する電源電圧生成部と、
前記電源電圧生成部から前記機能デバイスへの電源供給系統に設けられ、かつ、前記画像処理装置が複数の機能デバイスを備え、前記電源電圧生成部から複数の機能デバイスへ電力が供給される場合、複数の機能デバイスの電源供給系統の各々に設けられ、当該機能デバイスへの電力供給を遮断する負荷遮断回路部と、
前記電源電圧生成部に設けられ、当該電源電圧生成部自体からの電力出力を停止させる電力出力停止回路部と、
選択信号に基づいて前記負荷遮断回路部又は前記電力出力停止回路部の何れかを選択する選択手段と、
前記機能デバイスの動作及び停止を制御すると共に、前記機能デバイスへの電力供給を停止する機能デバイスの節電モードにおいて、前記選択信号として、前記電源電圧生成部から電力供給される機能デバイスが１つである場合に前記電力出力停止回路部を選択させる選択信号を出力し、前記電源電圧生成部から電力供給される機能デバイスが複数である場合に、前記負荷遮断回路部を選択させる選択信号を出力するコントローラと、
を有する電源制御装置。
【発明の詳細な説明】
【技術分野】
【０００１】
本発明は、電源装置、画像処理装置、電源制御装置に関する。
【背景技術】
【０００２】
特許文献１には、所定のデバイスへの電源の供給を制御する電源供給制御回路が、前記所定のデバイスへの電源の供給を遮断することが記載されている（電源出力停止タイプ）。
【０００３】
特許文献２には、プリンタコントローラ（メインコントローラ）において、負荷に供給される電源を遮断する電源遮断手段を設けたことが記載されている（負荷切断タイプ）。
【先行技術文献】
【特許文献】
【０００４】
【特許文献１】特開２００１−３５３９３０公報
【特許文献２】特開２００２−０５５７４４公報
【発明の概要】
【発明が解決しようとする課題】
【０００５】
本発明は、電源出力を停止する場合と負荷を切断する場合とを選択することができ、適材適所を実現することができる電源装置、画像処理装置、電源制御装置を得ることが目的である。
【課題を解決するための手段】
【０００６】
請求項１に記載の発明は、画像読取デバイス、画像印刷デバイス、及び画像通信デバイスのうちの少なくとも画像印刷デバイスを含み、所定の機能を実行する機能デバイス、並びに前記機能デバイスの動作及び停止を制御するコントローラを備える画像処理装置に用いられる電源装置であって、前記機能デバイスに供給する所定電圧の電力を生成する電源電圧生成部と、前記電源電圧生成部から前記機能デバイスへの電源供給系統に設けられ、かつ、前記画像処理装置が複数の機能デバイスを備え、前記電源電圧生成部から複数の機能デバイスへ電力が供給される場合、機能デバイス毎の電源供給系統の各々に設けられ、当該機能デバイスへの電力供給を遮断する負荷遮断回路部と、前記電源電圧生成部に設けられ、当該電源電圧生成部自体からの電力出力を停止させる電力出力停止回路部と、
前記機能デバイスへの電力供給を停止する機能デバイスの節電モードにおいて、前記コントローラから入力される選択信号が、前記電源電圧生成部から電力供給される前記機能デバイスが１つであることを示している場合に、前記電力出力停止回路部を選択し、前記電源電圧生成部から電力供給される前記機能デバイスが複数であることを示している場合に、前記負荷遮断回路部を選択する選択手段と、を有している。
【０００７】
請求項２に記載の発明は、前記請求項１に記載の発明において、前記コントローラが前記機能デバイスを前記節電モードに移行させる際、該コントローラが前記機能デバイスへの電力供給の遮断を指示する電源遮断指示信号を出力し、該電源遮断指示信号が前記選択手段により選択された前記負荷遮断回路部又は前記電力出力停止回路部に入力される。
【０００８】
請求項３に記載の発明は、前記請求項１又は請求項２記載の電源装置と、前記コントローラと、を有し、前記電源供給系統を介して前記電源電圧生成部から電力供給を受け、前記コントローラにより動作及び停止が制御される前記機能デバイスとして、前記画像読取デバイス、前記画像印刷デバイス、及び前記画像通信デバイスのうちの少なくとも前記画像印刷デバイスを含む画像処理装置である。
【０００９】
上記構成の画像処理装置は、画像読取デバイスとして動作する画像読取部、画像印刷デバイスとして動作する画像印刷部、画像通信デバイスとして動作する画像通信部、並びにこれらの複合機能の少なくとも１つの機能を有する。
【００１０】
請求項４に記載の発明は、画像読取デバイス、画像印刷デバイス、及び画像通信デバイスのうちの少なくとも画像印刷デバイスを含み、所定の機能を実行する機能デバイスを備える画像処理装置に用いられる電源制御装置であって、前記機能デバイスに供給する所定電圧の電力を生成する電源電圧生成部と、前記電源電圧生成部から前記機能デバイスへの電源供給系統に設けられ、かつ、前記画像処理装置が複数の機能デバイスを備え、前記電源電圧生成部から複数の機能デバイスへ電力が供給される場合、複数の機能デバイスの電源供給系統の各々に設けられ、当該機能デバイスへの電力供給を遮断する負荷遮断回路部と、前記電源電圧生成部に設けられ、当該電源電圧生成部自体からの電力出力を停止させる電力出力停止回路部と、選択信号に基づいて前記負荷遮断回路部又は前記電力出力停止回路部の何れかを選択する選択手段と、前記機能デバイスの動作及び停止を制御すると共に、前記機能デバイスへの電力供給を停止する機能デバイスの節電モードにおいて、前記選択信号として、前記電源電圧生成部から電力供給される機能デバイスが１つである場合に前記電力出力停止回路部を選択させる選択信号を出力し、前記電源電圧生成部から電力供給される機能デバイスが複数である場合に、前記負荷遮断回路部を選択させる選択信号を出力するコントローラと、を有している。
【発明の効果】
【００１１】
請求項１、請求項３、及び請求項４に記載の発明によれば、電源出力を停止する場合と負荷を切断する場合とを選択することができ、適材適所を実現することができる。
【００１３】
請求項２記載の発明によれば、コントローラから出力される電源遮断指示信号に基づいて、出力デバイスへの電力供給を遮断することができる。
【図面の簡単な説明】
【００１４】
【図１】本実施の形態に係る電源装置の概略構成図である。
【図２】電源遮断先の切り替え構成の変形例１を示す概略図である。
【図３】電源遮断先の切り替え構成の変形例２を示す概略図である。
【図４】（Ａ）は本実施の形態に係る電源装置を画像処理装置する場合の実施例、（Ｂ）はその比較例を示す概略図である。
【図５】本実施の形態に適用可能な画像処理装置の実施例であり、制御ユニットのハード構成を示すブロック図である。
【発明を実施するための形態】
【００１５】
図１は、本実施の形態に係り、画像処理装置に設けられた電源装置１０の回路図である。なお、図１では、電源線を１本の実線で示しているが、実際には２本〜３本の配線である。
【００１６】
商用電源１２から引き込まれた入力電源線１４は、トランス部１６の一次側端子１６Ａに接続されている。トランス部１６では、商用電源１２の電圧が一次側端子１６Ａに入力されることで、二次側に、画像処理装置の基準電圧である、２４Ｖの電源を生成する。
【００１７】
トランス部１６における二次側の第１の端子１６Ｂは、第１のスイッチ１８を介して、低電圧電源部２０（ＬＶＰＳ／２４Ｖ）、高電圧電源部２２（ＨＶＰＳ／−９００Ｖ〜−１３００Ｖ）に接続されている。
【００１８】
低電圧電源部２０は、画像処理装置のモータやソレノイド等の低電圧駆動系（エンジン部等）へ電力を供給する。また、高電圧電源部２２は、帯電用、定着用、現像用の高電圧動作系へ電力を供給する。
【００１９】
前記第１のスイッチ１８は、後述するエンジン部コントローラ２４から出力される制御信号によりオン・オフされ、前記低電圧電源部２０及び高電圧電源部２２からの電力供給又は遮断を制御している。
【００２０】
前記トランス部１６における二次側の第２の端子１６Ｃは、第１の電圧変換部２６に接続されている。第１の電圧変換部２６では、入力電圧の２４Ｖをコントローラ制御用電圧である３．３Ｖ（第１の制御電圧）に変換して出力する。
【００２１】
画像処理装置には、画像形成用エンジン部を制御するエンジン部コントローラ２４と、画像処理装置全般を総合的に制御するメインコントローラ２８（「プリンタコントローラ」という場合がある）とが設けられている。
【００２２】
前記第１の電圧変換部２６は、エンジン部コントローラ２４には、第２のスイッチ３０を介して接続され、メインコントローラ２８には、直接接続されている。すなわち、エンジン部コントローラ２４は、第２のスイッチ３０のオン・オフにより、第１の制御電圧の供給が制御されるが、メインコントローラ２８は、常時第１の制御電圧が供給されることになる。
【００２３】
トランス部１６における二次側の第３の端子１６Ｄは、第２の電圧変換部３２に接続されている。第２の電圧変換部３２では、入力電圧の２４Ｖを、コントローラ制御用電圧である５Ｖ（第２の制御電圧）に変換して出力する。
【００２４】
第２の電圧変換部３２は、メインコントローラ２８に、第３のスイッチ３４を介して接続されている。すなわち、メインコントローラ２８は、第３のスイッチ３４のオン・オフにより、第２の制御電圧の供給が制御されるようになっている。
【００２５】
ここで、第２の電圧変換部３２は、当該第２の電圧変換部３２自体から出力される電源を遮断するための電源遮断回路３６を備えている。
【００２６】
この電源遮断回路３６に外部から電源遮断指示信号が入力されると（本実施の形態では、出力元はメインコントローラ２８）、第２の電圧変換部３２は、その機能を停止して、電源が遮断される。
【００２７】
また、前記第２のスイッチ３０及び第３のスイッチ３４は、それぞれリレー回路３８、４０の二次側に相当し、そのオン・オフ動作が一次側の入力信号に基づいて実行される。また、第２のスイッチ３０及び第３のスイッチ３４は、それぞれ定常時はオンとされ、リレー回路３８、４０の一次側に前記電源遮断指示信号が入力されると、それぞれオフされるようになっている。
【００２８】
前記電源遮断指示信号は、メインコントローラ２８から出力されるようになっており、その信号線は、前記第２のスイッチ３０のオン・オフを制御するリレー回路３８の一次側に接続されると共に、信号切換部４２のコモン接点４２Ｃに接続されている。信号切換部４２の第１の接点４２Ａは、前記第３のスイッチ３４のオン・オフを制御するリレー回路４０の一次側に接続されている。また、信号切換部４２の第２の接点４２Ｂは、第２の電圧変換部３２の電源遮断回路３６に接続されている。
【００２９】
また、メインコントローラ２８は、信号切換部４２の動作指示入力端に接続されている。このメインコントローラ２８からは、信号切換部４２へ選択信号が出力されるようになっている。信号切換部４２では、このメインコントローラ２８からの選択信号により、信号切換部４２のコモン接点４２Ｃに接続された接触子４２Ｄを、第１の接点４２Ａ又は第２の接点４２Ｂの何れかへ選択的に切り換えられるようになっている。この選択信号は、１ビットであり、画像処理装置の種類（単機能か多機能か）を識別する。
【００３０】
単機能機（単機能）は、主たる機能であるプリント（印刷）機能のみを備える（「ＳＦＰ」という場合がある）。また、多機能機（多機能）は、前記プリント機能に加え、スキャナ機能、電話回線通信機能を備え、画像読取、画像複写、ファクシミリ送受信等の複数の機能を備える（「ＭＦＰ」や「複合機」という場合がある）。
【００３１】
信号切換部４２での切換状態で、メインコントローラ２８において、現状、電力供給が不要と判断した場合（節電モード立上げ時）、信号切換部４２に電源遮断指示信号が送出される。言い換えれば、画像処理装置の機能により、節電モード時のメインコントローラ２８への電力供給の形態が異なっており、第３のスイッチ３４による電力供給線の遮断（負荷遮断タイプ）と、電源遮断回路３６による第２の電圧変換部３２からの出力遮断（電源遮断タイプ）の何れかが選択される。
【００３２】
負荷遮断タイプでも、電源遮断タイプでも、エンジン部コントローラ２４とメインコントローラ２８の双方に第１の電圧変換部２６からの３．３Ｖの電圧が常時供給され、第２の電圧変換部３２から５Ｖの電圧が遮断される。このとき、負荷遮断タイプは、負荷毎の選択的な遮断が可能であるため、例えば、第２の電圧変換部３２からメインコントローラ２８への電源線を負荷毎に設けておけば、負荷を選択して電源遮断することも可能である。一方、電源遮断タイプは、第２の電圧変換部３２自体の機能が停止されるため、総負荷一斉電源遮断が可能である。
【００３３】
以下に本実施の形態の作用を説明する。
【００３４】
画像処理装置は、大きく分類して、主たる機能であるプリント（印刷）機能のみの単機能機（「ＳＦＰ」）と、前記プリント機能に加え、スキャナ機能、電話回線通信機能を備え、画像読取、画像複写、ファクシミリ送受信等の複数の機能が付加された多機能機（「ＭＦＰ」、「複合機」）がある。
【００３５】
単機能機と多機能機とでは、処理の待機時、特に節電モード時に、電力を供給する部位が異なる。
【００３６】
単機能機では、外部からのプリント指示（画像情報の受付を含む）を受信できる体制とする。このため、本実施の形態では、メインコントローラ２８及びエンジン部コントローラ２４のそれぞれに対して、プリント指示に必要な制御電圧（第１の制御電圧、３．３Ｖ）を供給し続けると共に、メインコントローラ２８におけるその他の制御系動作用の制御電圧（第２の制御電圧、５Ｖ）は不要である。このとき、第２の電圧変換部３２からメインコントローラ２８へ接続された電源線を切断するよりも、第２の電圧変換部３２自体の回路機能を停止する方が、無駄な電流が流れることが抑止されるため、節電モード時の省エネ効果の向上につながる。
【００３７】
一方、多機能機では、プリント指示待ちに加え、ファクシミリ受信待ち、画像読取指示、複写指示等のユーザー操作に対して認識できる体制とする。言い換えれば、多機能機においては、節電モード時に電源の供給を基から断つような単純な制御プログラムにはなっていないため、負荷毎に選択して電源遮断を指示する必要がある。このため、本実施の形態では、第２の電圧変換部３２自体の回路機能を停止するのではなく、不要な負荷への電源線を遮断することなる。なお、図１では、第２の電圧変換部３２から出力される電源線が１本であるが、多機能機では、複数本の電源線があり、電力供給を遮断する負荷毎に電源線を選択して遮断する。
【００３８】
上記のように画像処理装置の機能に基づいて、節電モード時の電源遮断形態を選択するにあたり、本実施の形態では、メインコントローラ２８から信号切換部４２に対して、選択信号が送出される。本実施の形態では、選択信号は２種類（１ビット）であればよい。
【００３９】
信号切換部４２では、メインコントローラ２８から選択信号が入力されると、当該選択信号に基づいて、接点を切り換える。選択信号が多機能機を示す信号の場合は、コモン端子４２Ｃが第１の接点４２Ａに接続され、その後にメインコントローラ２８から出力される電源遮断指示信号は、定常時オン状態の第３のスイッチ３４をオフする。
【００４０】
また、選択信号が単機能機を示す信号の場合は、コモン端子４２Ｃが第２の接点４２Ｂに接続され、その後にメインコントローラ２８から出力される電源遮断指示信号は、第２の電圧変換部３２に備えられている電源遮断回路３６を動作させる。この結果、第２の電圧変換部３２は、それ自体の機能が停止される。
【００４１】
本実施の形態の電源装置１０は、適用される画像処理装置が多機能機であろうと、単機能機であろうと、共通に利用されるものである。このとき、多機能機と単機能機とでは、節電モード時における制御形態が異なっているが、メインコントローラ２８からの選択信号（１ビット）に基づいて、節電モード時に電源を遮断する形態を、負荷遮断タイプか、電源遮断タイプかを選択するようにしたため、多機能機、単機能機の区別なく画像処理装置に搭載することが可能となる。
【００４２】
（変形例１）
なお、本実施の形態では、信号切換部４２をスイッチ構成としたが、本実施の形態の電源装置１０が、一旦、画像処理装置に搭載された後、他の画像処理装置に載せ替えるようなことがない場合には、信号切換部４２をスイッチ構成とせず、図２に示される如く、ジャンパ線４４により固定的に何れか一方の接点と接続するようにしてもよい。
【００４３】
すなわち、図２（Ａ）の状態で、多機能機に適用するか、単機能機に適用する。多機能機（ＭＦＰ）の場合は、図２（Ｂ）に示される如く、ジャンパ線４４を用いて、メインコントローラ２８と第３のスイッチ３４とを接続する。単機能機（ＳＦＰ）の場合は、図２（Ｃ）に示される如く、ジャンパ線４４を用いて、メインコントローラ２８と第２の電圧変換部３２の電源遮断回路３６とを接続する。
【００４４】
（変形例２）
また、本実施の形態では、メインコトローラ２８からの選択信号に基づいて信号切換部４２の接点の切り換えを制御したが、図３に示される如く、ディップスイッチ４６により、手動での切り換えを行なうようにしてもよい。
【００４５】
すなわち、多機能機（ＭＦＰ）の場合は、図３（Ａ）に示される如く、ディップスイッチ４６を操作（上に移動）して、メインコントローラ２８と第３のスイッチ３４とを接続する。単機能機（ＳＦＰ）の場合は、図３（Ｂ）に示される如く、ディップスイッチ４６を操作（上に移動）して、メインコントローラ２８と第２の電圧変換部３２の電源遮断回路３６とを接続する。
【実施例】
【００４６】
（実施例１）
図４は、本実施の形態に係る電源装置１０を画像処理装置（多機能機又は単機能機）へ適用した実施例が示されている。
【００４７】
多機能機５０には、ＬＡＮ（ローカルエリアネットワーク）５２及び電話回線５４が接続されている。一方、単機能機５６には、ＬＡＮ５８が接続されている。
【００４８】
図４（Ａ）は本実施の形態の実施例であり、多機能機５０及び単機能機５６の電源装置１０は、共有されてる。このとき、多機能機５０及び単機能機５６から選択信号を出力し、節電モード時に負荷遮断タイプとするか、電源遮断タイプとするかを決定する。
【００４９】
一方、図４（Ｂ）は、本実施の形態に対する比較例であり、多機能機５０には、多機能機用（ＭＦＰ用）電源装置６０が供給され、単機能機５６には、単機能機用（ＳＦＰ用）電源装置６２が供給されている。すなわち、それぞれ専用の電源装置が必要となっている。
【００５０】
（実施例２）
図５に、本実施例に係る電源装置１０が適用された画像処理装置１５０の実施例を示す。
【００５１】
画像処理装置１５０の制御ユニット１４４は、メインコントローラ２８を含んでいる。メインコントローラ２８は、ＣＰＵ１７２、ＲＡＭ１７４、ＲＯＭ１７６、Ｉ／Ｏ（入出力部）１７８、及びこれらを接続するデータバスやコントロールバス等のバス１８０を有している。
【００５２】
Ｉ／Ｏ１７８には、前記画像形成部における搬送系や、画像形成のための走査露光系、現像系等の各処理系を制御し、管理するための印刷制御管理部１８８（エンジン部コントローラ２４の一部）が接続されている。
【００５３】
より詳細には、印刷制御管理部１８８には、搬送制御部１００、走査露光制御部１０２、現像制御部１０４、転写制御部１０６、定着制御部１０８が接続され、各部の制御を管理している。
【００５４】
印刷制御管理部８８は、Ｉ／Ｏ１７８ではなく、直接バス１８０に接続された構成であってもよい。また、ここでは、印刷に関する制御を印刷制御管理部１８８に集約する構成としたが、当該制御をメインコントロール部１７０で実行する構成であってもよい。
【００５５】
また、Ｉ／Ｏ１７８には、ＵＩ（ユーザ・インターフェイス）１８２が接続されている。ＵＩ１８２は、ユーザーからの入力指示を受け付け、かつユーザーへ画像処理に関する情報を報知する役目を有している。さらに、Ｉ／Ｏ１７８には、ハードディスク１８４が接続されている。また、Ｉ／Ｏ１７８は、Ｉ／Ｆ１８６を介して通信回線網１９０に接続されている。
【００５６】
なお、画像形成装置１５０は、このＩ／Ｆ１８６に画像読取装置（図示省略）を取り付け、また、電話回線を接続することで、多機能機（ＭＦＰ）としての役目を有する。
【００５７】
前記搬送制御部１００、走査露光制御部１０２、現像制御部１０４、転写制御部１０６、定着制御部１０８は、それぞれ前記電源装置１０から電源を受けている。電源装置１０は、商用電源を入力源とし、大きく分類して、制御用電源部１０Ａ（３．３Ｖ／５Ｖ）、低電圧電源部２０（ＬＶＰＳ／２４Ｖ）、高電圧電源部２２（ＨＶＰＳ／−９００Ｖ〜−１３００Ｖ）を備えている。なお、高電圧電源部の電圧の極性は、適用される現像剤（トナー）の帯電極性によって変わるものであり、ここでは、極性をマイナス（−）としている。
【００５８】
制御用電源部１０Ａは、制御用電源ラインＬＡを介して、メインコントローラ２８を含む各制御系へ制御用電源を供給する。また、低電圧電源部２０は、低電圧電源ラインＬＢを介して、搬送制御部１００、走査露光制御部１０２、現像制御部１０４、転写制御部１０６、定着制御部１０８へ低電圧電源を供給する。さらに、高電圧電源部２２は、高電圧電源ラインＬＣを介して、主として走査露光制御部１０２、現像制御部１０４、転写制御部１０６へ高電圧電源を供給する。
【００５９】
上記画像処理装置１５０のメインコントローラ２８から電源装置１０へ選択信号（図１参照）が出力されるが、このとき、当該画像処理装置１５０が単機能機として利用される場合と、Ｉ／Ｆ１８６を介して画像読取装置や電話回線が接続されて多機能機として利用される場合とで、選択信号を変更する。例えば、ローレベル（Ｌ）信号の場合は多機能機とし、ハイレベル（Ｈ）信号の場合は単機能機とし、電源装置１０の信号切換部４２では、この選択信号の解釈の互換性（Ｌ信号で第１の接点４２Ａ、Ｈ信号で第２の接点４２Ｂ）をとっておけばよい。
【符号の説明】
【００６０】
１０    電源装置
１２    商用電源
１４    入力電源線
１６    トランス部
１８    第１のスイッチ
２０    低電圧電源部
２２    高電圧電源部
２４    エンジン部コントローラ
２６    第１の電圧変換部
２８    メインコントローラ
３０    第２のスイッチ
３２    第２の電圧変換部
３４    第３のスイッチ
３６    電源遮断回路（電力出力停止回路部）
３８、４０    リレー回路
４２    信号切換部
【図２】
0005585074.tif 000002
【図３】
0005585074.tif 000003
【図４】
0005585074.tif 000004
【図１】
0005585074.tif 000005
【図５】
0005585074.tif 000006